(57)【要約】【課題】ユーザの嗜好にあった番組を出力する利便性を高めた出力装置を提供する。【解決手段】提供される番組を受信する受信手段１１と、属性情報が付加された広告情報を保持する保持手段１５と、ユーザの嗜好を示した選択情報を記憶する記憶手段１２と、記憶手段１２に記憶された選択情報と、保持手段１５に保持されている広告情報に付加されている属性情報とに基づいて、保持手段１５に保持されている広告情報のうち、ユーザに提示する広告情報を選択する選択手段１２と、受信手段１１により受信した番組を出力するとともに、選択手段１２により選択された広告情報を番組内の所定の広告時間枠内に出力する出力手段１６とを備える。【選択図】  図１
2008306737.tif 000002
【特許請求の範囲】
【請求項１】
提供される番組を受信する受信手段と、
属性情報が付加された広告情報を保持する保持手段と、
ユーザの嗜好を示した選択情報を記憶する記憶手段と、
上記記憶手段に記憶された選択情報と、上記保持手段に保持されている広告情報に付加されている属性情報とに基づいて、上記保持手段に保持されている広告情報のうち、ユーザに提示する広告情報を選択する選択手段と、
上記受信手段により受信した番組を出力するとともに、上記選択手段により選択された広告情報を番組内の所定の広告時間枠内に出力する出力手段とを備える出力装置。
【請求項２】
上記出力手段により出力された広告情報の累積出力回数を示す情報を、公衆回線を介して外部に送信する送信手段を更に備える請求項１に記載の出力装置。
【請求項３】
上記記憶手段に記憶される選択情報は、ユーザ入力により設定される請求項１記載の出力装置。
【請求項４】
上記記憶手段に記憶される選択情報は、ユーザにより視聴された番組の属性情報を解析した結果に基づいて設定される請求項１記載の出力装置。
【請求項５】
提供される番組を受信する受信ステップと、
ユーザの嗜好を示した選択情報を記憶する記憶手段に記憶された選択情報と、保持手段に保持されている広告情報に付加されている属性情報とに基づいて、上記保持手段に保持されている広告情報のうち、ユーザに提示する広告情報を選択する選択ステップと、
上記受信ステップにより受信した番組を出力するとともに、上記選択ステップにより選択された広告情報を番組内の所定の広告時間枠内に出力する出力ステップとを有する出力方法。
【発明の詳細な説明】
【技術分野】
【０００１】
本発明は、放送局などから提供される番組を出力する出力装置、及び、出力方法に関するものである。
【背景技術】
【０００２】
近年、ケーブルや衛星放送、地上波等を媒体として、映像や音楽、ゲームやコンピュータデータ等の様々なプログラムを多数のユーザに対して放送するデジタルテレビジョン放送の発達が進んでいる。
【０００３】
このようなデジタルテレビジョン放送を用いることにより、ユーザは、映画や音楽、ゲームやコンピュータデータ等のプログラムを、光ディスクや磁気テープ等の記録媒体で購入したり、また、レンタルしたりする必要がなくなり、プログラムを取得するための煩雑さを解消することができる。
【０００４】
【特許文献１】特開平１１―２２０６６６号公報
【特許文献２】特開平１０―２４１２２８号公報
【特許文献３】特開平９―３１２８１１号公報
【特許文献４】特開平１０―２０７９１４号公報
【特許文献５】特開平９―１９１２３５号公報
【特許文献６】特開平１０―１６４５２８号公報
【発明の開示】
【発明が解決しようとする課題】
【０００５】
ところが、このようなデジタル放送システムでは、放送するプログラムの時間帯や内容を放送局側が一方的に選択して放送するため、ユーザが、視聴を希望するプログラムの時間帯や内容を自由に選択をすることができない。
【０００６】
そのため、ユーザは、ビデオテープレコーダにより実現されるタイムシフト機能やライブラリー機能等を用いて、希望に合った時間帯や内容のプログラムを視聴する必要がある。しかしながら、ビデオテープレコーダのタイムシフト機能やライブラリ機能を用いたとしても、記録予約の操作を行わなくてはならなく、さらに、放送される全てのプログラムから希望するプログラムの選択をしなければならなく、操作が非常に煩雑であり不便であった。
【０００７】
本発明は、このような実情を鑑みてなされたものであり、ユーザの嗜好にあった番組を出力する利便性を高めた出力装置、及び、出力方法を提供することを目的とする。
【課題を解決するための手段】
【０００８】
上述した課題を解決するための手段として、本発明に係る出力装置は、提供される番組を受信する受信手段と、属性情報が付加された広告情報を保持する保持手段と、ユーザの嗜好を示した選択情報を記憶する記憶手段と、記憶手段に記憶された選択情報と、保持手段に保持されている広告情報に付加されている属性情報とに基づいて、保持手段に保持されている広告情報のうち、ユーザに提示する広告情報を選択する選択手段と、受信手段により受信した番組を出力するとともに、選択手段により選択された広告情報を番組内の所定の広告時間枠内に出力する出力手段とを備える。
【０００９】
また、本発明に係る出力方法は、提供される番組を受信する受信ステップと、ユーザの嗜好を示した選択情報を記憶する記憶手段に記憶された選択情報と、保持手段に保持されている広告情報に付加されている属性情報とに基づいて、保持手段に保持されている広告情報のうち、ユーザに提示する広告情報を選択する選択ステップと、受信ステップにより受信した番組を出力するとともに、選択ステップにより選択された広告情報を番組内の所定の広告時間枠内に出力する出力ステップとを有する。
【発明の効果】
【００１０】
本発明は、受信した番組を出力するとともに、ユーザの嗜好を示した選択情報と広告情報に付加されている属性情報とに基づいて、選択された広告情報を番組内の所定の広告時間枠内に出力することにより、広告情報の内容をユーザの嗜好に合致させることができるので、ユーザの嗜好にあった番組を出力する利便性を高めることができる。
【発明を実施するための最良の形態】
【００１１】
以下、本発明の実施の形態として、本発明を適用したデジタル放送システムについて、図面を参照しながら説明する。
【００１２】
以下、本発明の実施の形態のデジタル放送システムを図１を用いて説明する。
【００１３】
本発明の実施の形態のデジタル放送システム１は、図１に示すように、放送局２と、受信装置３と、受信装置３に接続されるモニタ４及び外部記憶装置５とを備えたシステム構成となっている。
【００１４】
受信装置３は、アンテナ１０と、チューナ１１と、フィルタ部１２と、暗号解読部１３と、記録再生部１４と、記録再生メディア１５と、デコーダ１６と、コントローラ１７と、ユーザインターフェース部１８と、モデム１９とを有している。
【００１５】
放送局２は、例えば、衛星放送、ケーブルネットワークや地上波放送等を用いてデジタルデータを放送する。放送されるデジタルデータには、映画，音楽，テレビジョン番組，ゲームデータ，コンピュータデータ，コマーシャル等の各種プログラム、放送されるプログラムのタイトル情報と放送チャンネルとが一覧で示される電子プログラムガイド（ＥＰＧ）とが含まれている。また、各プログラムには、そのプログラムの属性を示す属性情報が付加されている。
【００１６】
放送局２は、放送するデジタルデータを例えばＭＰＥＧ−２方式で圧縮して放送する。また、放送局２は、放送するデジタルデータ及び属性情報を所定の暗号鍵で暗号化して放送を行う。
【００１７】
属性情報には、例えば、そのプログラムのジャンル（ニュース、スポーツ等）、出演者、キーワード、指向性、作製者、人気度、課金額等の情報選択及び嗜好判断に必要となる各種の値や情報等からなるプログラム属性が記述される。これらの属性情報には、それぞれの各属性毎に各プログラム独自の値や情報が、放送局２により記述される。
【００１８】
受信装置３は、放送局２から放送されたデジタルデータを、例えばアンテナ１０により受信し、受信した信号をチューナ１１により復調及びエラー訂正処理等をする。復調等をされたデジタルデータは、フィルタ部１２に送られる。
【００１９】
フィルタ部１２には、プログラムと属性情報とからなるデジタルデータがチューナ１１又は記録再生部１４から供給される。フィルタ部１２は、ユーザの嗜好を示す選択情報が設定され、この選択情報と各プログラムに含まれる属性情報とを比較し、供給されたプログラムをフィルタリングして、ユーザの嗜好にあったプログラムのみを出力する。このフィルタ部１２は、このフィルタリング処理を行うか或いは行わないかが、コントローラ１７からの制御によりＯＮ／ＯＦＦの設定がされる。フィルタリング処理を行わない場合には、入力されたプログラムを全て出力する。
【００２０】
暗号解読部１３は、フィルタ部１２からデジタルデータが供給され、所定の暗号鍵を用いてデジタルデータの暗号解読を行う。この暗号鍵は、放送局２側で登録されたユーザのみが持つことができる。暗号解読部１３により暗号解読がされたデジタルデータは、記録再生部１４又はデコーダ１６に送られる。
【００２１】
記録再生部１４は、記録再生メディア１５に対して、デジタルデータの記録再生を行う。通常は、暗号化されたままのデジタルデータが供給され、暗号化された状態でこれらを記録再生メディア１５に記録する。なお、記録再生部１４は、例えば、課金処理等が既に完了していたり、また、無料のプログラム等の場合には、暗号が解除された状態のデジタルデータを記録再生メディア１５に記録してもよい。
【００２２】
また、記録再生部１４は、コントローラ１７からの制御によって、記録再生メディア１５に記録されているデジタルデータを読み出し、フィルタ部１２に送出する。
【００２３】
デコーダ１６は、暗号解読部１３により暗号が解読されたデジタルが供給される。デコーダ１６は、ＭＰＥＧ−２方式で圧縮されたプログラムを復号してベースバンドのビデオデータ、オーディオデータ、コンピュータデータ等にする。そして、デコーダ１６は、復号したプログラムをユーザによる制御に応じて、モニタ４又は外部記憶装置５に出力する。
【００２４】
コントローラ１７は、チューナ１１、フィルタ部１２、暗号解読部１３、記録再生部１４、デコーダ１６、ユーザインターフェース部１８、モデム１９等の各部を統括的に制御を行う。
【００２５】
ユーザインターフェース部１８は、キーボードやマウス等の入力装置及びその制御部であり、例えば、モニタ４上に表示されたＧＵＩを選択したり、モニタ４上を介して各種の設定等を行うためのものである。
【００２６】
モデム１９は、公衆回線を介して、この受信装置３と、放送局２や所定の管理局とを接続するもので、この放送局２や所定の管理局に受信装置３からの送信されるデータをアップロードする。
【００２７】
以上のような受信装置３では、放送局２から放送されたプログラムが、受信装置３により受信される。受信装置３は、アンテナ１０により放送されたプログラムを受信し、チューナ１１により復調やエラー訂正処理がなされる。放送されたプログラムをリアルタイムで視聴する場合には、フィルタ部１２によりプログラムの選択処理がされた後、そのプログラムが暗号解読部１３で暗号が解読される。暗号が解読されたプログラムはデコーダ１６に送られ、デコーダ１６により伸張されて例えばモニタ４に表示される。また、放送されたデジタルコンテンツをタイムシフトして視聴する場合には、受信したプログラムがフィルタ部１２から記録再生部１４に送られ、記録再生メディア１５に記録される。そして、ユーザの所望の時間に記録再生メディア１５からプログラムが再生され、フィルタ部１２によりプログラムの選択処理がされた後、そのプログラムが暗号解読部１３で暗号が解読される。暗号が解読されたプログラムはデコーダ１６に送られ、デコーダ１６により伸張されて例えばモニタ４に表示される。
【００２８】
このような受信装置３では、受信したプログラムがフィルタ部１２により選別され、ユーザの嗜好に合致したプログラムのみが記録再生メディア１５に記録され、或いは、リアルタイム時やタイムシフト時においてユーザの嗜好に合致したプログラムのみがデコーダ１６を介して出力される。
【００２９】
具体的には、受信装置３では、フィルタ部１２に選択情報が設定されている。フィルタ部１２は、プログラムに付加されている属性情報と、内部に設定されている選択情報とを比較して、選択情報に合致した属性情報のみを選び出し、選び出した属性情報が付加されているプログラムを選択する。このフィルタ部１２は、選択動作を行うかどうかが、コントローラ１７により設定され、オンに設定されているときはプログラムのフィルタリング動作を行い、オフに設定されているときにはプログラムのフィルタリング動作を行わない。
【００３０】
例えば、受信装置３では、受信したプログラムを他の時間帯に視聴する場合には、すなわち、プログラムをタイムシフトして視聴する場合には、フィルタ部１２がオンとされていれば、このフィルタ部１２により選択されたプログラムのみが記録再生メディア１５に格納される。そのため、この受信装置３では、放送された全てのプログラムを記憶する必要が無いので記録再生メディア１５の容量が有効利用される。また、この受信装置３では、記録予約の操作を行わなくてもユーザの嗜好に合致したもののみが記憶され、このことから放送された全てのプログラムから希望するプログラムの選択をしなければならないといった操作の煩雑性が回避される。
【００３１】
また、例えば、受信装置３では、受信したプログラムをタイムシフトして視聴する場合に、フィルタ部１２をオフとして、受信したプログラムを全て記録再生メディア１５に記憶する。そして、再生時に、フィルタ部１２をオンとして、このフィルタ部１２により選択されたプログラムのみをデコーダ１６を介して出力する。
【００３２】
また、放送されるデジタルコンテンツには、ＥＰＧが含まれている。このため受信装置３では、このＥＰＧを表示することにより、リアルタイムでの視聴を行う場合のプログラム選択が容易に行えることができる。このＥＰＧには、そのプログラムの内容がユーザに理解できるようなタイトル情報が、選択肢として表示される。このＥＰＧは、例えば、テキストデータ、フォントデータ、イメージデータ、グラフィックデータ等からなり、必要に応じて動画データ等も含まれる。
【００３３】
ここで、受信装置３では、コントローラ１７が、ＥＰＧを表示させる際に、ユーザの嗜好に合わせて、このＥＰＧ上のプログラムのタイトルに変化を加えて表示を行うようにする。例えば、フィルタ部１２に設定されている選択情報と、属性情報とが合致しているプログラムがある場合には、そのプログラムを示すタイトル情報を、他のプログラムと異なる状態で表示する。ユーザは、ユーザインターフェース部１８を用いてＥＰＧ上に表示されるタイトル情報を選択する。そのため、この受信装置３では、リアルタイム放送時にプログラムを視聴する場合、ユーザによる情報の選択動作が容易になる。
【００３４】
また、このＥＰＧは、プログラムを記録再生メディア１５に格納した後に再生する場合にも用いることが可能である。すなわち、このＥＰＧがプログラムとともに記録再生メディア１５に格納され、タイムシフトしたときにもこのＥＰＧを用いて再生するプログラムを選択することができる。したがって、フィルタ部１２に設定されている選択情報と属性情報とが合致しているプログラムが記録再生メディア１５内に格納されている場合には、そのプログラムを示すタイトル情報を、他のプログラムと異なる状態で表示することによって、タイムシフト時におけるユーザによる情報の選択動作が容易になる。
【００３５】
また、フィルタ部１２に設定されている選択情報は、装置の使用開始時点においてＧＵＩ上に予め用意された選択肢から所望の設定内容に設定したり、ユーザが任意にパラメータの値を設定したりすることにより設定される。また、このフィルタ部１２に設定されている選択情報は、随時変更してもよい。
【００３６】
また、このフィルタ部１２に設定する選択情報は、記録時と再生時とにおいて、選択情報を切り換えても良い。例えば、選択情報を家庭内の家族の人数分設けて、受信したプログラムを記録再生メディア１５に記録する場合には、複数の選択情報の論理和を取った選択情報を設定し、その論理和を取った選択情報と一致した属性情報が付加されたプログラムのみを記録する。そして、記録したプログラムを再生する場合には、ある一人のユーザのために設定された１つの選択情報と、記録再生メディア１５に記録されているプログラムの属性情報とに基づき、そのユーザの嗜好に合致したプログラムを再生するようにする。
【００３７】
また、コントローラ１７は、この装置の使用開始以降にユーザが実際に視聴したプログラムの属性情報を集計し、各ユーザの嗜好を解析する。そして、コントローラ１７は、その解析結果に基づき、フィルタ部１２に設定されている選択情報の各パラメータの値の重み付けを変更して、ユーザの嗜好に対して最適化していく。
【００３８】
なお、以上受信装置３では、選択情報と属性情報とを比較して、ユーザの嗜好に合致したプログラムを使用するようにしているが、これとは反対にユーザの視聴意思がないパラメータが登録された選択情報をフィルタ部１２に設定して、ユーザが視聴したくないプログラムを積極的に排除するような処理を行っても良い。
【００３９】
また、プログラムの視聴に伴う課金は、視聴時において暗号解読部１３によりプログラムの暗号が解読されたときに行われる。プログラムの暗号が解読されると、モデム１９を介して課金データが放送局２や所定の管理局に送信される。放送局２や所定の管理局は、送信された課金データに基づき、各ユーザに対して課金を行う。また、ソフトウェアのダウンロードや画面上で商品の購入の手続きを行った場合にも、その課金データが放送局や所定の管理局に送信される。
【００４０】
また、受信装置３は、フィルタ部１２に設定されている選択情報、又は、視聴実績を解析した解析結果を、モデム１９を介して放送局２や所定の管理局に送信しても良い。この場合、放送局２や所定の管理局は、各ユーザの嗜好や視聴実績を把握することができる。このようにユーザの嗜好や視聴実績を把握することによって、よりユーザの嗜好に合致したプログラムを放送することが可能となる。つまり、さまざまな嗜好をもったユーザに向けてプログラムを放送するが、その各ユーザの最大公約数的に無駄のないプログラム構成を実現することができ、また、少数ユーザに切望された特定のプログラムのリクエストに応える等の少数ユーザに対する嗜好にも合致したプログラム構成を実現することができる。
【００４１】
また、プログラムの具体的な内容には広告情報も含まれるが、受信装置３は、この広告情報に付加された属性情報を用いて、受信した広告情報を選別する。受信装置３は、記録再生メディア１５内に広告専用の記録領域を設けてもよい。そして、受信装置３は、ユーザの嗜好に合致した広告情報を選択して記録しておき、リアルタイム受信時にプログラム内の所定の広告時間枠内に、この広告専用記録領域に記録してある広告情報を視聴させるようにしてもよい。このように、広告情報の内容もユーザの嗜好に合致させることにより、ユーザにとって必要な情報が得られるのみならず、放送者にとっても広告の付加価値を高めることができる。
【００４２】
以上のように本発明の実施の形態のデジタル放送システム１によれば、ユーザの嗜好を示した選択情報に基づきプログラムを自動的に選択するので、多数のプログラムのなかから希望するプログラムを選び出す煩雑さがなくなり利便性が高まる。また、タイムシフトをする際に必要なプログラムのみを記録することができ記録媒体を有効利用することができる。また、このデジタル放送システム１によれば、リアルタイムで放送されるプログラムのタイトル情報を表示するとともに属性情報を表示するので、対話性が高まり、ユーザによるリアルタイム視聴や記録を行う際の利便性が向上する。
【００４３】
つぎに、上述したデジタル放送システム１に機能追加等をした第１から第８の変形例を説明する。各変形例は、特に図示しない限り、図１に示したデジタル放送システム１と同一の構成を有するものである。また、特に図示した場合であっても、同一の構成要素については、図面中に同一の符号を付けてその詳細な説明を省略する。
【００４４】
第１の変形例
第１の変形例は、各ユーザが用いているモニタ４や外部記憶装置５の種類等の使用環境に応じて課金金額を変動させるデジタル放送システムである。
【００４５】
第１の変形例では、受信装置３は、大量のプログラムを帯域圧縮符号化した状態のまま且つ暗号化したまま記録再生メディア１５に格納する。そして、受信装置３は、フィルタ部１２により選別されたプログラムだけを記録再生メディア１５から読み出してモニタ４に出力する。
【００４６】
受信装置３に接続されているモニタ４には、ディスプレイの種類、大きさ、解像度等を示すフラグが設定されている。また、受信装置３に接続されている外部記憶装置５の種類を示すフラグが設定されている。モニタ４及び外部記憶装置５は、これらのフラグを受信装置３のコントローラ１７に送信する。コントローラ１７は、これらのフラグをモデム１９を介して放送局２に送信する。放送局２は、これらのフラグを参照し、ユーザが用いているモニタ４や外部記憶装置５の種類等を判断し、課金金額をそれらの種類に応じて変動させる。
【００４７】
このような第１の変形例では、放送局２が、各ユーザの使用環境に応じて課金金額を変更することができ、より適切な課金を行うことができる。
【００４８】
以下、モニタ４の分類例、外部記憶装置５の分類例について示す。
【００４９】
モニタ４の分類の一例
種類による分類                        解像度による分類  大きさによる分類
CRT(Cathode Ray Tube)                  垂直ライン数        インチ数
LCD(Liquid Crystal Display)            水平解像度          ４：３
PDP(Plasma Display)                    画素ドット数        １６：９
PALC(Plasma Addressing Liquid Crystal)
FED(Field Emission Display)
外部記憶装置５の分類の一例
ＤＶ，ＶＨＳ，８ｍｍ，ＤＶＤ，ＤＶＨＳ，β，フロッピーディスク，メモリーカード，ＭＤ，ＣＤＲ
【００５０】
第２の変形例
第２の変形例は、放送局２が、各ユーザのコマーシャルの視聴量に応じて課金金額を変動させるデジタル放送システムである。
【００５１】
第２の変形例では、受信装置３は、大量のプログラムを帯域圧縮符号化した状態のまま且つ暗号化したまま記録再生メディア１５に格納する。そして、受信装置３は、フィルタ部１２により選別されたプログラムだけを記録再生メディア１５から読み出してモニタ４に出力する。
【００５２】
放送局２は、放送するプログラムがコマーシャル情報であれば、そのコマーシャル情報の付加情報としてコマーシャルフラグを追加して放送する。受信装置３は、暗号解読部１３が暗号を解除する際に、コマーシャルフラグを検出し、このフラグ数を数える。そして、受信装置３は、コマーシャルフラグを検出したの累積回数を記憶しておき、定期的にモデム１９を介してその累積回数情報を放送局２に送信する。放送局２は、その累積回数を参照し、そのコマーシャルの参照回数に応じて、各ユーザ毎に課金金額を変動させる。具体的には、コマーシャルをたくさん視聴したユーザに対しては、課金額を少なくし、コマーシャルをあまり見なかったユーザに対しては課金額を多くするように変動させる。
【００５３】
このような第２の変形例では、放送局２が、各ユーザのコマーシャルの視聴量に応じて課金金額を可変することができ、より適切な課金を行うことができる。
【００５４】
第３の変形例
第３の変形例は、放送局２が、ユーザからのプログラムのリクエスト数に応じて、そのプログラムの課金金額を可変するデジタル放送システムである。
【００５５】
第３の変形例では、受信装置３は、大量のプログラムを帯域圧縮符号化した状態のまま且つ暗号化したまま記録再生メディア１５に格納する。そして、受信装置３は、フィルタ部１２により選別されたプログラムだけを記録再生メディア１５から読み出してモニタ４に出力する。
【００５６】
また、ユーザは、受信装置３を用いて視聴したい番組をモデム１９を介して放送局２にリクエストする。放送局２は、リクエストをしたユーザに対してそのプログラムの暗号鍵を送信する。受信装置３は、その暗号鍵を得ることによってリクエストしたプログラムの視聴が可能となる。また、放送局２は、ユーザからのリクエスト数に応じて、そのプログラムの課金金額を変動させる。例えば、新作映画の視聴料は高めの値段に設定しておくが、その新作映画の視聴をリクエストしたユーザがあるい一定の数以上となったらその値段を引き下げる。或いは、リクエストした先着順で、視聴料のディスカウントサービスを行う。
【００５７】
このような第３の変形例では、放送局２が、ユーザからのリクエスト数に応じて課金金額を可変することができ、より適切な課金を行うことができる。
【００５８】
第４の変形例
第４の変形例は、ユーザが他のユーザに対してプログラムの紹介をし、紹介したユーザが番組を使用した場合に、そのプログラムの課金金額を可変にするデジタル放送システムである。
【００５９】
第４の変形例では、受信装置３は、大量のプログラムを帯域圧縮符号化した状態のまま且つ暗号化したまま記録再生メディア１５に格納する。そして、受信装置３は、フィルタ部１２により選別されたプログラムだけを記録再生メディア１５から読み出してモニタ４に出力する。
【００６０】
また、第４の変形例では、図２に示すように、フロッピーディスク等のリムーバブルメディア２１がコントローラ１７に接続される。このリムーバブルメディア２１は、受信装置３Ａを使用するユーザＡと、受信装置３Ｂを使用するユーザＢとの間でやり取りがされる。
【００６１】
受信装置３Ａを使用するユーザＡは、自分の気に入ったプログラムのアドレス情報及び放送局２に対する自分の顧客ＩＤを、リムーバブルメディア２１に記憶する。ユーザＡは、アドレス情報及び顧客ＩＤが記憶してあるリムーバブルメディア２１を、受信装置３Ｂを使用するユーザＢに渡す。受信装置３Ｂに、例えば、テラバイトクラスの大容量の記録再生メディア１５が備えられていれば、この記録再生メディア１５にはユーザＢが気付かないでいてもユーザＡにより紹介されていたプログラムが記録してある。ユーザＢは、ユーザＡから渡されたリムーバブルメディア２１を受信装置３Ｂに装着し、ここに記録されているアドレス情報に基づき、紹介されたプログラムを簡単に再生することができる。また、そのプログラムを視聴する場合、モデム１９を介して放送局２にリクエストすることにより、暗号鍵の提供を受けて視聴が可能となる。このとき、放送局２は、受信装置３Ｂから、そのプログラムを紹介したユーザＡの顧客ＩＤも受信する。放送局２は、例えば、紹介者、被紹介者ともに、課金金額のディスカウントを行うとったようにそのプログラムの課金金額を変動させる。
【００６２】
このような第４の変形例では、ユーザが他のユーザに対してプログラムの紹介をし、紹介したユーザが番組を使用した場合に、そのプログラムの課金金額を可変にし、より適切な課金を行うことができる。特に、テラバイトクラスの記録再生メディア１５を使用する場合には、記録可能なプログラム数が非常に多くなり、例えば、ＥＰＧ等を用いて視聴するプログラムを検索するのは、ユーザにとっては大変である。そのため、この第４の変形例では、他のユーザからプログラムのアドレス情報を提供してもらい、その情報を有効に利用することが可能となる。
【００６３】
なお、プログラムのアドレス情報及び紹介者の顧客ＩＤ情報のやり取りは、リムーバブルメディア２１ではなく、モデム１９を介して公衆回線も用いて行っても良い。
【００６４】
第５の変形例
第５の変形例は、ユーザが他のユーザに対してプログラムの紹介をし、紹介したユーザが番組を使用した場合に、そのプログラムの課金金額を可変にするデジタル放送システムである。第４の変形例との違いは、プログラムデータのアドレス情報のやり取りをするか、或いは、プログラムデータ自体をやり取りするかにある。
【００６５】
第５の変形例では、受信装置３は、大量のプログラムを帯域圧縮符号化した状態のまま且つ暗号化したまま記録再生メディア１５に格納する。そして、受信装置３は、フィルタ部１２により選別されたプログラムだけを記録再生メディア１５から読み出してモニタ４に出力する。
【００６６】
また、第５の変形例では、図４に示すように、フロッピーディスク等のリムーバブルメディア２１がコントローラ１７に接続される。このリムーバブルメディア２１は、受信装置３Ａを使用するユーザＡと、受信装置３Ｂを使用するユーザＢとの間でやり取りがされる。
【００６７】
受信装置３Ａを使用するユーザＡは、自分の気に入ったプログラムのデータ及び放送局２に対する自分の顧客ＩＤを、リムーバブルメディア２１に記憶する。ユーザＡは、アドレス情報及び顧客ＩＤが記憶してあるリムーバブルメディア２１を、受信装置３Ｂを使用するユーザＢに渡す。ユーザＢは、ユーザＡから渡されたリムーバブルメディア２１を受信装置３Ｂに装着し、ここに記録されているプログラムデータを記録再生メディア１５に記録する。そのため、受信装置３Ｂでは、紹介されたプログラムを簡単に再生することができる。また、そのプログラムを視聴する場合、モデム１９を介して放送局２にリクエストすることにより、暗号鍵の提供を受けて視聴が可能となる。このとき、放送局２は、受信装置３Ｂから、そのプログラムを紹介したユーザＡの顧客ＩＤも受信する。放送局２は、例えば、紹介者、被紹介者ともに、課金金額のディスカウントを行うとったようにそのプログラムの課金金額を変動させる。
【００６８】
このような第５の変形例では、ユーザが他のユーザに対してプログラムの紹介をし、紹介したユーザが番組を使用した場合に、そのプログラムの課金金額を可変にし、より適切な課金を行うことができる。特に、テラバイトクラスの記録再生メディア１５を使用する場合には、記録可能なプログラム数が非常に多くなり、例えば、ＥＰＧ等を用いて視聴するプログラムを検索するのは、ユーザにとっては大変である。そのため、この第５の変形例では、他のユーザからのプログラムデータを直接提供してもらい、そのデータを有効に利用することが可能となる。
【００６９】
なお、プログラムデータ及び紹介者の顧客ＩＤ情報のやり取りは、リムーバブルメディア２１ではなく、モデム１９を介して公衆回線も用いて行っても良い。
【００７０】
第６の変形例
第６の変形例は、受信装置３に格納しておくプログラムを例えば１間単位で更新するデジタル放送システムである。
【００７１】
第６の変形例では、受信装置３は、大量のプログラムを帯域圧縮符号化した状態のまま且つ暗号化したまま記録再生メディア１５に格納する。そして、受信装置３は、フィルタ部１２により選別されたプログラムだけを記録再生メディア１５から読み出してモニタ４に出力する。
【００７２】
放送局２は、例えば一週間単位でプログラム構成を更新して、新しいプログラムを放送する。放送形態は、いわゆるニアオンデマンド形態である。受信装置３は、大量のプログラムを帯域圧縮符号化した状態のまま且つ暗号化したまま記録再生メディア１５に格納する。そして、受信装置３は、フィルタ部１２により選別されたプログラムだけを記録再生メディア１５から読み出してモニタ４に出力する。
【００７３】
ユーザは、契約した放送局２から例えば一週間単位で新しいプログラムの提供を受けることができる。また、受信装置３は、デフォルトの設定では、一週間単位で新しいプログラムに更新するように設定するが、ユーザが更新を希望しない場合には、ユーザインターフェース１８を介してその旨を設定し、前週のプログラムを記録再生メディア１５に格納したままとしておく。また、受信装置３は、部分的にプログラムを更新するようにしてもよい。この場合、再生済みのプログラム数をカウントして、そのカウントするに応じて更新するデータ量を制限しても良い。
【００７４】
この第６の変形例では、受信装置３に格納しておくプログラムを定期的に例えば１週間単位で更新する。また、その更新は、ユーザの設定により行わなくてもよいし、また、視聴済みのプログラムに応じて部分的に行っても良い。
【００７５】
第７の変形例
第７の変形例は、受信装置３を遠隔操作するリモートコントローラを設けた構成のデジタル放送システムである。
【００７６】
受信装置３には、図５及び図６に示すように、当該受信装置３を制御するためのリモートコントローラ２２が設けられる。受信装置３には、例えば赤外線信号受光部２３が設けられ、リモートコントローラ２２には、例えば赤外線光発光部２４が設けられる。赤外線光発光部２４から赤外線信号を送信し、赤外線光受光部２３がその赤外線光を受信することにより、リモートコントローラ２２が受信装置３の遠隔操作を行う。
【００７７】
また、このリモートコントローラ２２には、フロッピーディスクやメモリーカード等のリムーバブルメディア２５と、このリムーバブルメディア２５を制御するリムーバブルメディア制御部２６とを有している。
【００７８】
受信装置３は、大量のプログラムを帯域圧縮符号化した状態のまま且つ暗号化したまま記録再生メディア１５に格納する。そして、受信装置３は、フィルタ部１２により選別されたプログラムだけを記録再生メディア１５から読み出してモニタ４に出力する。
【００７９】
受信装置３Ａを使用するユーザＡは、自分の気に入ったプログラムのアドレス情報及び放送局２に対する自分の顧客ＩＤを、リモートコントローラ２２Ａに装着されているリムーバブルメディア２５に記憶する。ユーザＡは、アドレス情報及び顧客ＩＤが記憶してあるリムーバブルメディア２５を、受信装置３Ｂを使用するユーザＢに渡す。受信装置３Ｂに、例えば、テラバイトクラスの大容量の記録再生メディア１５が備えられていれば、この記録再生メディア１５にはユーザＢが気付かないでいてもユーザＡにより紹介されていたプログラムが記録してある。ユーザＢは、ユーザＡから渡されたリムーバブルメディア２５をリモートコントローラ２２Ｂに装着し、ここに記録されているアドレス情報に基づき、紹介されたプログラムを簡単に再生することができる。また、そのプログラムを視聴する場合、モデム１９を介して放送局２にリクエストすることにより、暗号鍵の提供を受けて視聴が可能となる。このとき、放送局２は、受信装置３Ｂから、そのプログラムを紹介したユーザＡの顧客ＩＤも受信する。放送局２は、例えば、紹介者、被紹介者ともに、課金金額のディスカウントを行うとったようにそのプログラムの課金金額を変動させる。
【００８０】
このような第７の変形例では、ユーザが他のユーザに対してプログラムの紹介をし、紹介したユーザが番組を使用した場合に、そのプログラムの課金金額を可変にし、より適切な課金を行うことができる。なお、プログラムのアドレス情報をやり取りするのではなく、直接プログラムデータをやり取りするようにしてもよい。
【００８１】
また、このようなリモートコントローラ２２は、図７例えばＬＣＤのような表示部３０を備えてもよい。この場合、受信装置３の記録再生メディア１５内に格納されているプログラムをリモートコントローラ２２のリムーバブルメディア２５に格納する。このようにリムーバブルメディア２５にプログラムを格納することにより、そのリモートコントローラ２２単独でプログラムの視聴が可能となる。例えば、受信装置３が設置されていない自分のプライベートルームなどでプログラムの視聴が可能となる。
【００８２】
また、図８に示すように、映画等の字幕データのみをリムーバブルメディア１５に格納し、リムーバブルメディアの表示部３０には字幕のみを表示し、受信装置３に接続されたモニタ４には字幕のない動画像を表示するようにしてもよい。
【００８３】
第８の変形例
第８の変形例は、受信装置３がＥＰＧを表示する際に、既に記録再生メディアに格納されていてすぐに視聴が可能なプログラムと、これから放送されるのでまだ視聴が可能でないプログラムとを、区別して表示を行うデジタル放送システムである。
【００８４】
第８の変形例では、受信装置３は、大量のプログラムを帯域圧縮符号化した状態のまま且つ暗号化したまま記録再生メディア１５に格納する。そして、受信装置３は、フィルタ部１２により選別されたプログラムだけを記録再生メディア１５から読み出してモニタ４に出力する。
【００８５】
この第８の変形例においては、図９に示すように、ＥＰＧに、記録再生メディア１５に既に記録済みで現在視聴可能なプログラムのタイトル情報と、まだ放送局２から放送されておらず今後放送される予定のプログラムのタイトル情報とを表示する。受信装置３は、ユーザにより視聴可能なプログラムのタイトル情報が選択された場合には、すぐに再生動作を開始する。また、受信装置３は、これから放送されるプログラムが選択された場合には、自動録画の予約設定を行う。記録再生メディア１５に記録されて現在視聴可能なプログラムと、これから放送されるプログラムのリストは、随時更新されていく。
【００８６】
また、受信装置３は、ＥＰＧ上の表示等を、記録再生メディア１５に記録されて現在視聴可能なプログラムと、これから放送されるプログラムとで、色、背景、フォント、外形、サウンド、マーキング等を変えて、ユーザにより視覚等で認識できるようにする。
【００８７】
また、受信装置３は、ＥＰＧ上に、図１０に示すような、過去に放送されたプログラムを表示するモードを設け、過去に放送されたプログラムのうち、記録再生メディア１５に格納されていて現在視聴可能なプログラムと、記録再生メディア１５に格納されていなく視聴ができないプログラムとを表示種類を変えて表示する。例えば、ＥＰＧ上の表示は、色、背景、フォント、外形、サウンド、マーキング等を変えて、ユーザにより視覚等で認識できるようにする。
【図面の簡単な説明】
【００８８】
【図１】本発明の実施の形態のデジタル放送システムの構成を示す図である。
【図２】リムーバブルメディアを備える第４の変形例のデジタル放送システムの構成を示す図である。
【図３】上記第４の変形例のデジタル放送システムにおいて、ユーザＡとユーザＢとの間でのリムーバブルメディアのやりとりについて説明するための図である。
【図４】第５の変形例のデジタル放送システムの構成図を示す図である。
【図５】リムーバブルメディアを有するリモートコントローラを備える第７の変形例のデジタル放送システムの構成を示す図である。
【図６】上記第７の変形例のデジタル放送システムにおいて、ユーザＡとユーザＢとの間でのリムーバブルメディアのやりとりについて説明するための図である。
【図７】リムーバブルメディアを備えることができる受信装置を遠隔制御するリモートコントローラを説明する図である。
【図８】字幕データを表示部に表示した受信装置を遠隔制御するリモートコントローラを説明する図である。
【図９】視聴可能プログラムと現在まだ視聴ができないプログラムとを表示したＥＰＧを説明する図である。
【図１０】過去に放送されたプログラムを表示したＥＰＧを説明する図である。
【符号の説明】
【００８９】
１  デジタル放送システム、２  放送局、３  受信装置、４  モニタ、５  外部記憶装置、１０  アンテナ、１１  チューナ、１２  フィルタ部、１３  暗号解読部、１４  記録再生部、１５  記録再生メディア、１６  デコーダ、１７  コントローラ、１８  ユーザインターフェース部、１９  モデム
【図１】
2008306737.tif 000003
【図２】
2008306737.tif 000004
【図３】
2008306737.tif 000005
【図４】
2008306737.tif 000006
【図５】
2008306737.tif 000007
【図６】
2008306737.tif 000008
【図７】
2008306737.tif 000009
【図８】
2008306737.tif 000010
【図９】
2008306737.tif 000011
【図１０】
2008306737.tif 000012